【事件の表示】
　特許第３１６９８８８号「ディジタル画像再生装置および画像再生方法ならびに画像再生プログラムが格納された記録媒体」の請求項１、６ないし８に係る特許に対する特許異議の申立てについて、次のとおり決定する。
【結　論】
　訂正を認める。
　特許第３１６９８８８号の請求項１ないし８に係る特許を維持する。
【理　由】
第１　手続の経緯
　本件に係る特許第３１６９８８８号の特許請求の範囲（請求項の数８）に記載された発明は、平成１０年３月１５日に出願され、平成１３年３月１６日にその特許の設定登録がなされ、その後、請求項１，６，７，８に対して特許異議の申立がなされ、取消理由通知がなされ、その指定期間内である平成１４年４月４日に訂正請求がなされたものである。
　
第２　訂正請求の適否について
　１　本件訂正発明
　　訂正明細書の特許請求の範囲（請求項の数８）に記載された発明（以下「本件訂正発明」という。）は、次に掲げるものである。（下線部分が訂正箇所）
「【請求項１】　ディジタルスチルカメラで撮像した画像を再生する
テレビ映像
　
少なくとも
挿入されるＰＣカードを介して入力するＰＣカード挿入口または挿入されるフロッピーディスクを介して入力するフロッピーディスク挿入口またはシリアルインタフェースを介して入力するシリアルインタフェース部を備えた
　指定されたテレビジョンチャネルの映像信号の再生を行うチューナ部を含むテレビジョン信号入力手段と、
　前記カメラデータ入力手段からの画像データをＲＧＢ信号に変換する変換手段と、
　前記変換手段からのＲＧＢ信号と前記テレビジョン信号入力手段からの映像信号を切り替えて表示手段に出力する画像切替手段と、
　外部から入力される音声を取り込む音声信号入力手段と、
　前記カメラデータ入力手段および前記音声信号入力手段からの音声データを音声信号に変換する音声変換手段と、
　前記音声変換手段からの音声信号と前記テレビジョン信号入力手段からの音声信号を切り替えて音声出力手段に出力する音声切替手段と、
　画像データおよび音声データを保存可能なメモリ手段と、
　前記テレビジョン信号入力手
段か
テレビ映像
　【請求項２】 リモコン受光部を介して外部から受信した指令に従って制御を行うリモコン受信制御手段を備え、
　前記リモコン受信制御手段は、前記リモコン受光部を介してキャプチャ実行指令信号を入力すると、テレビジョン信号入力手段からの画像データをメモリ手段に保存させる制御を行う請求項１記載の
テレビ映像
　【請求項３】 リモコン受信制御手段は、リモコン受光部を介して伝言指令信号としての伝言音声録音指令または伝言セット指令を入力すると、音声信号入力手段の出力がメモリ手段で記憶されるように入力音声切替手段を設定するか、メモリ手段に記憶されている録音済み音声の音声ファイルのファイル名を、選択されている画像のファイルのファイル名と同一にして識別子のみ異ならせる請求項２記載の
テレビ映像
　【請求項４】 リモコン受信制御手段は、リモコン受光部を介して伝言指令信号を入力すると、メモリ手段に記憶される音声データと関連付けた画像データであって、テレビジョン信号入力手段またはカメラデータ入力手段からの信号にもとづく画像データもメモリ手段に記憶させる請求項３記載の
テレビ映像
　【請求項５】 リモコン受信制御手段は、リモコン受光部を介して伝言再生指令信号を入力すると、メモリ手段に記憶されていた音声データを音声変換手段に出力させるとともに、音声変換手段からの音声信号を選択するように音声切替手段を設定する請求項４記載の
テレビ映像
　【請求項６】　ディジタルスチルカメラで撮像した画像を
テレビ映像再生装置で
　画像の再生、画像の加工、伝言設定および伝言確認をユーザが選択しうる階層構成のメニュー画面を表示し、
　画像の再生が選択されると、ユーザが
選択
　画像の加工が選択されると、ユーザが
選択
　伝言設定が選択されると、ユーザが
選択
　伝言確認が選択されると、保存されている画像および音声を再生することを特徴とする画像再生方法。
　【請求項７】　ディジタルスチルカメラで撮像した画像を
テレビ映像再生装置で
　前記画像再生プログラムは、ユーザ選択に応じて、画像の再生処理、画像の加工処理、伝言設定処理または伝言確認処理を開始し、
　画像の再生処理が開始されると、ユーザが
選択
　画像の加工処理が開始されると、ユーザが
選択
　伝言設定処理が開始されると、ユーザが
選択
　伝言確認処理が開始されると、保存されている画像および音声を再生することを特徴とする画像再生プログラムが格納された記録媒体。
　【請求項８】　画像再生プログラムは、ユーザ指定に応じて、再生画像を印刷出力する処理を行う請求項７記載の画像再生プログラムが格納された記録媒体。」
　
　２　訂正事項
　　訂正請求による訂正は、次に掲げる訂正事項(1)ないし(12)である。（下線部分が訂正箇所）
 　(1)　請求項１の「ディジタルスチルカメラで撮像した画像を再生するディジタル画像再生装置であって」を「ディジタルスチルカメラで撮像した画像を再生する
テレビ映像
 　(2)　請求項１の「ディジタルスチルカメラからの画像データもしくは音声データまたは双方のデータを入力するカメラデータ入力手段と」を「
少なくとも
挿入されるＰＣカードを介して入力するＰＣカード挿入口または挿入されるフロッピーディスクを介して入力するフロッピーディスク挿入口またはシリアルインタフェースを介して入力するシリアルインタフェース部を備えた
 　(3)　請求項１の「前記テレビジョン信号入力手段または前記カメラデータ入力手段からの音声信号と前記音声信号入力手段の出力とを切り替えて前記メモリ手段側に出力する入力音声切替手段」を「前記テレビジョン信号入力手
段か
 　(4)　請求項１の「とを備えたことを特徴とするディジタル画像再生装置」を「とを備えたことを特徴とする
テレビ映像
 　(5)　請求項２の「請求項１記載のディジタル画像再生装置」を「請求項１記載の
テレビ映像
 　(6)　請求項３の「請求項２記載のディジタル画像再生装置」を「請求項２記載の
テレビ映像
 　(7)　請求項４の「請求項３記載のディジタル画像再生装置」を「請求項３記載の
テレビ映像
 　(8)　請求項５の「請求項４記載のディジタル画像再生装置」を「請求項４記載の
テレビ映像
 　(9)　請求項６の「ディジタルスチルカメラで撮像した画像を再生する画像再生方法であって」を「ディジタルスチルカメラで撮像した画像を
テレビ映像再生装置で
 　(10)　請求項６の「画像の再生が選択されると、ユーザが指定した媒体から画像を取り込んで再生し、画像の加工が選択されると、ユーザが指定した媒体から取り込んだ画像に加工を施し、伝言設定が選択されると、ユーザが指定した媒体から取り込んだ画像またはテレビジョン画像に音声を付随させて保存し」を「画像の再生が選択されると、ユーザが
選択
選択
選択
 　(11)　請求項７の「ディジタルスチルカメラで撮像した画像を再生する画像再生プログラムが格納された記録媒体であって」を「ディジタルスチルカメラで撮像した画像を
テレビ映像再生装置で
 　(12)　請求項７の「画像の再生処理が開始されると、ユーザが指定した媒体から画像を取り込んで再生し、画像の加工処理が開始されると、ユーザが指定した媒体から取り込んだ画像に加工を施し、伝言設定処理が開始されると、ユーザが指定した媒体またはテレビジョン画像から取り込んだ画像に音声を付随させて保存し」を「画像の再生処理が開始されると、ユーザが
選択
選択
選択
　
　３　訂正事項の適否についての結論
　　上記訂正事項(1)及び(4)ないし(8)は、再生装置を減縮するものである。
　上記訂正事項(2)は、カメラデータ入力手段を減縮するものである。
　上記訂正事項(9)は、画像再生方法を減縮するものである。
　上記訂正事項(11)は、記録媒体を減縮するものである。
　上記訂正事項(3)は、入力音声切替手段について、明りょうでない記載の釈明をするものである。
　上記訂正事項(10)は、媒体の選択・指定について、明りょうでない記載の釈明をするものである。
　上記訂正事項(12)は、上記訂正事項(10)に伴い、明りょうでない記載の釈明をするものである。
　したがって、上記訂正事項(1)ないし(12)は、特許法第１２０条の４第２項ただし書き第１，３号に規定する特許請求の範囲の減縮、明りょうでない記載の釈明を目的とするものであり、また、同法第１２０条の４第３項で準用する同法第１２６条第２，３，４項に規定する願書に添付した明細書及び図面に記載した事項の範囲内であり、実質上特許請求の範囲を拡張し、又は変更するものではなく、異議申立がなされていない請求項２ないし５の訂正は、以下第３での検討と同じ理由により、出願の際独立して特許を受けることができるものであるから、上記訂正を認める。
　
第３　本件訂正発明と刊行物発明との対比・検討
　１　刊行物
　　当審の取消理由で引用した刊行物１ないし５は次に掲げるものである。
　　刊行物１：特開平７−２３３５７号公報（異議申立人が提出した甲第１号証）
　　刊行物２：特開平３−２０１６８８号公報（異議申立人が提出した甲第２号証）
　　刊行物３：特開平６−３５０８１６号公報（異議申立人の提出した甲第３号証）
　　刊行物４：特開平９−９７４９０号公報（異議申立人が提出した甲第４号証）
　　刊行物５：特開平１０−６５９４８号公報（異議申立人の提出した甲第５号証）
　
　　(1) 刊行物１
　　　刊行物１には、「テレビ電話装置において、テレビ放送を受信する受信手段 100と、テレビ画像を表示する表示手段800と、音声信号を音声に変換する音声出力手段と、音声と画像双方のメモ内容を記憶する記憶手段 900と、テレビ放送受信中の場合には上記表示手段に画像により報知すべく制御する機能とを有する制御手段 300とを具備したテレビ電話装置」（１頁要約の項を参照）が記載され、
　「また、画像処理部４００のＡＤＣ（Ａ／Ｄ変換器）４０１には、入力端子ＩＮを設けており、この入力端子ＩＮに映像信号を直接入力することで、外部のカメラや、ビデオ再生装置、パソコンの映像出力をＡ／Ｄ変換して画像処理部４００に取り込ませ、画像圧縮して利用することができるようにしてある。従って、テレビカメラ７００で得られる画像の他、パソコンからの文字列や、ＣＧ（コンピュータグラフィックス）、電子スチルカメラの映像、ビデオ装置の映像などを入力して取り込ませることが可能である。」（６頁９欄段落００３４を参照）と記載されている。
　　(2) 刊行物２
　　　刊行物２には、「撮像した画像の記録と音声の記録とを行う電子カメラ」（１頁産業上の利用分野の項を参照）が記載されている。
　　(3) 刊行物３
　　　刊行物３には、「メモリカードに記憶された映像信号と音声信号とを自由に編集し、出力する情報出力装置」（１頁要約の項及び２頁１欄産業上の利用分野の項を参照）が記載されている。
　　(4) 刊行物４
　　　刊行物４には、「ＭＤ（ミニディスク）を用いた静止画記録／再生装置において、静止画データばかりでなく、音声データの記録／再生を可能にするカメラ記録装置、カメラ再生装置、及び記録装置」（１頁要約の項を参照）が記載されている。
　　(5) 刊行物５
　　　刊行物５には、「液晶表示付き電子カメラを用いたシステム構成の一実施の形態として、パソコン１０１、ワークステーション、ＴＶ１０２およびプリンタに接続された簡易映像データベース端末１０４に対してＩＣカード１４を装着できるように構成し、上記液晶表示付き電子カメラ１に装着して積層メモリモジュール６５に記憶された画像情報を部分的に書き込んだＩＣカード１４を簡易映像データベース端末１０４に装着することにＩＣカード１４に書き込まれた画像情報を出力することができる。当然ＩＣカード１４に音声情報も書き込むことによって、この音声情報をパソコン１０１、ワークステーションおよびＴＶ１０２に出力することもできる。」（９頁１６欄段落００２６及び図１０を参照）と記載されている。
　
　２　本件訂正発明と刊行物発明との対比
　　本件訂正発明と刊行物１ないし５に記載された発明とを対比すると、刊行物１ないし５の発明は、本件訂正発明おける「テレビ映像再生装置」（以下、「主要な事項」という。）を具備していないし、刊行物１ないし５には、この主要な事項を示唆する記載もなされていない。
　そして、本件訂正発明は、上記主要な事項により、
「ディジタルスチルカメラの液晶ファインダは小形であるから、撮像した画像を大画面表示させたい場合には、大型画面を有する装置に画像データを渡して、その装置において画像表示させる必要がある。」（本件特許掲載公報４頁４欄段落０００３を参照）という従来技術の問題を解決し、「画像データを再生する場合にパーソナルコンピュータ等を必要とせず、画像再生のための装置の設置場所確保が容易になる効果がある。また、画像表示にあたって複雑な配線が不要になるとともに複数装置の電源投入操作を行う必要がなく、かつ、再生手段と表示手段が一体化されているのでリモコン等の統一化された操作手段によって画像再生を行うことができる。」（同公報１５頁２９欄段落０１１５を参照）、「テレビジョン映像やテレビジョン音声を画像合成などに応用できる効果がある。（中略）音声信号入力手段からの音声をディジタルスチルカメラによる画像と関連付けて伝言等に応用できるとともに、テレビジョン映像やテレビジョン音声を画像合成や伝言などに応用できる効果がある。」（同公報１６頁３１欄段落０１２１を参照）という効果を奏するものと認められる。
　したがって、本件訂正発明は、刊行物１ないし５の発明に基いて当業者が容易に発明をすることができたものとは認められない。
　
第４　むすび
　以上、本件訂正発明は、刊行物１ないし５の発明に基いて当業者が容易に発明をすることができたものとは認められない。
　また、他に本件訂正発明に係る特許を取り消すべき理由を発見しない。
　よって、結論のとおり決定する。
【異議決定日】
平成１４年４月１２日（２００２．４．１２）
【訂正の要旨】
　次に掲げる訂正（１）ないし（１２）を認める。（下線部分が訂正箇所）
　（１）　請求項１の「ディジタルスチルカメラで撮像した画像を再生するディジタル画像再生装置であって」を「ディジタルスチルカメラで撮像した画像を再生する
テレビ映像
　（２）　請求項１の「ディジタルスチルカメラからの画像データもしくは音声データまたは双方のデータを入力するカメラデータ入力手段と」を「
少なくとも
挿入されるＰＣカードを介して入力するＰＣカード挿入口または挿入されるフロッピーディスクを介して入力するフロッピーディスク挿入口またはシリアルインタフェースを介して入力するシリアルインタフェース部を備えた
　（３）　請求項１の「前記テレビジョン信号入力手段または前記カメラデータ入力手段からの音声信号と前記音声信号入力手段の出力とを切り替えて前記メモリ手段側に出力する入力音声切替手段」を「前記テレビジョン信号入力手
段か
　（４）　請求項１の「とを備えたことを特徴とするディジタル画像再生装置」を「とを備えたことを特徴とする
テレビ映像
　（５）　請求項２の「請求項１記載のディジタル画像再生装置」を「請求項１記載の
テレビ映像
　（６）　請求項３の「請求項２記載のディジタル画像再生装置」を「請求項２記載の
テレビ映像
　（７）　請求項４の「請求項３記載のディジタル画像再生装置」を「請求項３記載の
テレビ映像
　（８）　請求項５の「請求項４記載のディジタル画像再生装置」を「請求項４記載の
テレビ映像
　（９）　請求項６の「ディジタルスチルカメラで撮像した画像を再生する画像再生方法であって」を「ディジタルスチルカメラで撮像した画像を
テレビ映像再生装置で
　（１０）　請求項６の「画像の再生が選択されると、ユーザが指定した媒体から画像を取り込んで再生し、画像の加工が選択されると、ユーザが指定した媒体から取り込んだ画像に加工を施し、伝言設定が選択されると、ユーザが指定した媒体から取り込んだ画像またはテレビジョン画像に音声を付随させて保存し」を「画像の再生が選択されると、ユーザが
選択
選択
選択
　（１１）　請求項７の「ディジタルスチルカメラで撮像した画像を再生する画像再生プログラムが格納された記録媒体であって」を「ディジタルスチルカメラで撮像した画像を
テレビ映像再生装置で
　（１２）　請求項７の「画像の再生処理が開始されると、ユーザが指定した媒体から画像を取り込んで再生し、画像の加工処理が開始されると、ユーザが指定した媒体から取り込んだ画像に加工を施し、伝言設定処理が開始されると、ユーザが指定した媒体またはテレビジョン画像から取り込んだ画像に音声を付随させて保存し」を「画像の再生処理が開始されると、ユーザが
選択
選択
選択
（５４）【発明の名称】
ディジタル画像再生装置および画像再生方法ならびに画像再生プログラムが格納された記録媒体
（５７）【特許請求の範囲】
　【請求項１】　ディジタルスチルカメラで撮像した画像を再生する
テレビ映像
少なくとも
挿入されるＰＣカードを介して入力するＰＣカード挿入口または挿入されるフロッピーディスクを介して入力するフロッピーディスク挿入口またはシリアルインタフェースを介して入力するシリアルインタフェース部を備えた
指定されたテレビジョンチャネルの映像信号の再生を行うチューナ部を含むテレビジョン信号入力手段と、
前記カメラデータ入力手段からの画像データをＲＧＢ信号に変換する変換手段と、
前記変換手段からのＲＧＢ信号と前記テレビジョン信号入力手段からの映像信号を切り替えて表示手段に出力する画像切替手段と、
外部から入力される音声を取り込む音声信号入力手段と、
前記カメラデータ入力手段および前記音声信号入力手段からの音声データを音声信号に変換する音声変換手段と、
前記音声変換手段からの音声信号と前記テレビジョン信号入力手段からの音声信号を切り替えて音声出力手段に出力する音声切替手段と、
画像データおよび音声データを保存可能なメモリ手段と、
前記テレビジョン信号入力手
段か
テレビ映像
　【請求項２】　リモコン受光部を介して外部から受信した指令に従って制御を行うリモコン受信制御手段を備え、
前記リモコン受信制御手段は、前記リモコン受光部を介してキャプチャ実行指令信号を入力すると、テレビジョン信号入力手段からの画像データをメモリ手段に保存させる制御を行う請求項１記載の
テレビ映像
　【請求項３】　リモコン受信制御手段は、リモコン受光部を介して伝言指令信号としての伝言音声録音指令または伝言セット指令を入力すると、音声信号入力手段の出力がメモリ手段で記憶されるように入力音声切替手段を設定するか、メモリ手段に記憶されている録音済み音声の音声ファイルのファイル名を、選択されている画像のファイルのファイル名と同一にして識別子のみ異ならせる請求項２記載の
テレビ映像
　【請求項４】　リモコン受信制御手段は、リモコン受光部を介して伝言指令信号を入力すると、メモリ手段に記憶される音声データと関連付けた画像データであって、テレビジョン信号入力手段またはカメラデータ入力手段からの信号にもとづく画像データもメモリ手段に記憶させる請求項３記載の
テレビ映像
　【請求項５】　リモコン受信制御手段は、リモコン受光部を介して伝言再生指令信号を入力すると、メモリ手段に記憶されていた音声データを音声変換手段に出力させるとともに、音声変換手段からの音声信号を選択するように音声切替手段を設定する請求項４記載の
テレビ映像
　【請求項６】　ディジタルスチルカメラで撮像した画像を
テレビ映像再生装置で
画像の再生、画像の加工、伝言設定および伝言確認をユーザが選択しうる階層構成のメニュー画面を表示し、
画像の再生が選択されると、ユーザが
選択
画像の加工が選択されると、ユーザが
選択
伝言設定が選択されると、ユーザが
選択
伝言確認が選択されると、保存されている画像および音声を再生することを特徴とする画像再生方法。
　【請求項７】　ディジタルスチルカメラで撮像した画像を
テレビ映像再生装置で
前記画像再生プログラムは、ユーザ選択に応じて、画像の再生処理、画像の加工処理、伝言設定処理または伝言確認処理を開始し、
画像の再生処理が開始されると、ユーザが
選択
画像の加工処理が開始されると、ユーザが
選択
伝言設定処理が開始されると、ユーザが
選択
伝言確認処理が開始されると、保存されている画像および音声を再生することを特徴とする画像再生プログラムが格納された記録媒体。
　【請求項８】　画像再生プログラムは、ユーザ指定に応じて、再生画像を印刷出力する処理を行う請求項７記載の画像再生プログラムが格納された記録媒体。
【発明の詳細な説明】
　【０００１】
　【発明の属する技術分野】本発明は、ディジタルスチルカメラで撮像した画像を再生するディジタル画像再生装置および画像再生方法ならびに画像再生プログラムが格納された記録媒体に関する。
　【０００２】
　【従来の技術】ディジタルスチルカメラは、撮像した画像をＪＰＥＧ符号データ等に変換して内蔵しているフラッシュメモリに記憶する。再生時には、記憶されている符号データを復号して液晶ファインダに表示する。さらに、フロッピーディスク（ＦＤ）、小型ＦＤ、フラッシュメモリを搭載したＰＣカード、小型フラッシュメモリカード等の外部記憶媒体のドライバを有し、撮像した画像の符号データを外部記憶媒体に記憶させることもできる。また、シリアルインタフェースを備え、記憶されている符号データをシリアルインタフェースを介して外部出力することもできる。さらには、ビデオ出力端子および音声出力端子を備え、記憶されているデータを映像信号および音声信号として出力できるものもある。
　【０００３】ディジタルスチルカメラの液晶ファインダは小形であるから、撮像した画像を大画面表示させたい場合には、大型画面を有する装置に画像データを渡して、その装置において画像表示させる必要がある。また、印刷出力する場合には、印刷機能を有する装置に画像データを渡す必要がある。
　【０００４】図１６は、ディジタルスチルカメラに記憶されている画像データまたは音声データをパーソナルコンピュータを用いて再生する場合の構成を示す構成図である。図１６に示された例では、ディジタルスチルカメラ１００は、撮像した画像をディジタル変換して記憶するカメラ本体１０８を含み、さらに、一般のテレビジョン受像機（以下、テレビという。）等とケーブル接続され映像信号を出力するビデオ出力端子１０９、テレビ等とケーブル接続され音声信号を出力する音声出力端子１１０、ディジタル画像データやディジタル音声データを出力するためのシリアルデータ端子１１１、およびフラッシュメモリ等の記憶媒体を搭載したＰＣカード等にディジタル画像データを書き込むＰＣカード部１１２を備えている。
　【０００５】パーソナルコンピュータ４００は、ディジタル画像データやディジタル音声データを入力することができるシリアルデータ端子４０１またはフラッシュメモリ等を搭載したＰＣカードに対するデータ書き込みおよびデータ読み取りを行うＰＣカード部４０２を有している。また、パーソナルコンピュータ４００には、ＣＲＴ等によるモニタ４０４が接続され、プリンタケーブル４０６を介してプリンタ４０５が接続されている。さらに、キーボード４０７およびマウス４０８が接続されている。
　【０００６】次に、ディジタルスチルカメラ１００の画像データおよび音声データを再生し、画像を印刷出力する動作を図１７のフローチャートを参照して説明する。ユーザは、まず、パーソナルコンピュータ４００、モニタ４０４およびプリンタ４０５の電源スイッチをオンし、パーソナルコンピュータ４００のオペレーティングシステム（ＯＳ）が起動するのを待つ（ステップＳ１８１，Ｓ１８２）。ディジタルスチルカメラ１００の画像データをＰＣカード等を介して入力する場合には、ＯＳ起動後、ＰＣカード等をＰＣカード部４０２に挿入する（ステップＳ１８３，Ｓ１８４）。
　【０００７】ディジタルスチルカメラ１００の画像データをシリアルインタフェースを介して入力する場合には、ディジタルスチルカメラ１００のシリアルデータ端子１１１とパーソナルコンピュータ４００のシリアルデータ端子４０１とをシリアルデータケーブルで接続する（ステップＳ１８５）。そして、ディジタルスチルカメラ１００の電源をオンし（ステップＳ１８６）、シリアルデータケーブルを介してディジタルスチルカメラ１００から画像データを読み込み、パーソナルコンピュータ４００のハードディスク等に画像データを格納する（ステップＳ１８７）。
　【０００８】次いで、ユーザは、キーボード４０７からコマンド入力するか、または、モニタ４０４に表示されているアイコンをマウス４０８でクリックして、アプリケーションソフトウェアであるディジタル画像再生ソフトウェアを起動する（ステップＳ１８９）。また、画像データの取り込み先として、ＰＣカード等の外部記憶媒体またはハードディスク等を指定する（ステップＳ１９０）。さらに、画像データの取り込み先における画像データファイルを指定する（ステップＳ１９１）。すると、ディジタル画像再生ソフトウェアは、画像データファイル内の画像データを映像に再生してモニタ４０４に表示する（ステップＳ１９２）。
　【０００９】画像データに関連する音声データファイルが存在し、音声データファイルが画像データファイルに関連付けられていた場合には、画像データの再生と同時に、音声データも再生される。
　【００１０】ユーザが、紙などに画像を印刷することを望んだ場合には、ディジタル画像再生ソフトウェアによる画面表示の中にある印刷ボタンをマウス４０８でクリックする（ステップＳ１９３）。すると、ディジタル画像再生ソフトウェアは、表示されている画像のデータをプリンタ４０５に出力する。そして、プリンタ４０５は画像を印刷出力する（ステップＳ１９４）。
　【００１１】図１８は、ディジタルスチルカメラに記憶されている画像データまたは音声データをテレビ等のビデオ信号再生装置を用いて再生する構成を示す構成図である。図に示すように、ディジタルスチルカメラ１００のビデオ出力端子１０９とテレビ５０１のビデオ入力端子５０６とがケーブル５０３で接続され、ディジタルスチルカメラ１００の音声出力端子１１０とテレビ５０１の音声入力端子５０７とがケーブル５０２で接続される。また、テレビ５０１のビデオ映像出力端子５０８が、ビデオプリンタ５０５の映像信号入力端子５０９とケーブル５０４で接続される。そして、リモートコントロールユニット（以下、リモコンという。）５１０は、ユーザの操作を例えば赤外線によってテレビ５０１に伝える。
　【００１２】図１９は、テレビ５０１の内部構成を示すブロック図である。ユーザがリモコン５１０を介して行った操作内容は、リモコン受光部６０２を介してＣＰＵ６００に伝えられる。チューナ部６０６は、アンテナ入力端子６０５からのテレビジョン信号をＮＴＳＣ信号切替部６１２に出力する。ＮＴＳＣ信号切替部６１２には、ビデオ入力端子５０６と音声入力端子５０７とを介して、外部機器からの映像信号および音声信号も入力され、その映像信号とチューナ部６０６からの映像信号とのうちのいずれかをＮＴＳＣ信号処理部６１３に出力する。また、外部機器からの音声信号とチューナ部６０６からの音声信号とのうちのいずれかを音声信号出力部６１１に出力する。ＮＴＳＣ信号処理部６１３は各種調整を施した映像信号をブラウン管６０９に出力し、音声信号出力部６１１は、音声信号をスピーカ６１０に出力する。そして、ＮＴＳＣ信号切替部６１２からの映像信号および音声信号は、ビデオ映像出力端子５０８および音声信号出力端子５１１を介して外部に出力される。
　【００１３】また、ＣＰＵ６００は、電源スイッチ６０３の状態を入力し、状態に応じてスイッチ６１４をオンする。スイッチ６１４がオンしていなければ、電源部６０４からＣＰＵ６００、リモコン受光部６０２および電源スイッチ６０３のみに電源供給される。スイッチ６１４がオンすると、その他のブロックにも電源供給される。
　【００１４】次に、ディジタルスチルカメラに記憶されている画像データまたは音声データをテレビ５０１を用いて再生する動作を説明する。テレビ５０１からの電源コードのプラグがコンセントに挿入されると、電源部６０４からＣＰＵ６００、リモコン受光部６０２および電源スイッチ６０３に電源供給される。この状態では、スイッチ６１４はオフ状態であり、チューナ部６０６、ＮＴＳＣ信号切替部６１２、ＮＴＳＣ信号処理部６１３、ブラウン管６０９および音声信号出力部６１１には電源供給されない。
　【００１５】電源スイッチ６０３がオンされると、ＣＰＵ６００は、チューナ部６０６、ＮＴＳＣ信号切替部６１２、ＮＴＳＣ信号処理部６１３、ブラウン管６０９および音声信号出力部６１１には電源供給されるように、スイッチ６１４をオン状態にする。また、リモコン５１０から電源オンの指令が発せられると、リモコン受光部６０２は、その指令を受信してＣＰＵ６００に電源オンを指令するディジタル信号を出力する。ＣＰＵ６００は、その信号を入力したときにも、スイッチ６１４をオン状態にする。
　【００１６】ディジタルスチルカメラ１００が撮像した画像の再生をユーザが望む場合には、ユーザは、リモコン５１０に対して入力信号を切り替るための操作を行う。リモコン５１０は、その操作に応じて入力信号の切替指令を発する。リモコン受光部６０２は、その指令を受信してＣＰＵ６００に入力信号の切り替えを指令するディジタル信号を出力する。ＣＰＵ６００は、その信号を入力すると、ＮＴＳＣ信号切替部６１２に対して入力信号の切り替えを指示する。すると、ＮＴＳＣ信号切替部６１２は、映像信号および音声信号の入力先を、チューナ部６０６からビデオ入力端子５０６および音声入力端子５０７に切り替える。
　【００１７】図１８に示すように、ビデオ入力端子５０６および音声入力端子５０７には、ディジタルスチルカメラ１００のビデオ出力端子１０９および音声出力端子１１０が接続されている。従って、ディジタルスチルカメラ１００からの映像信号および音声信号がＮＴＳＣ信号切替部６１２に入力され、ＮＴＳＣ信号切替部６１２は、ディジタルスチルカメラ１００からの映像信号をＮＴＳＣ信号処理部６１３に出力し、音声信号を音声信号出力部６１１に出力する。ＮＴＳＣ信号処理部６１３は、ユーザ指示であらかじめ設定されていたコントラストや明るさ等の調整を行って映像信号をブラウン管６０９に出力する。また、音声信号出力部６１１は、音声信号を増幅してスピーカ６１０に出力する。以上のようにして、ディジタルスチルカメラ１００で撮像された画像がブラウン管６０９で再生され、ディジタルスチルカメラ１００に録音された音声がスピーカ６１０から出力される。
　【００１８】
　【発明が解決しようとする課題】従来のディジタルスチルカメラ１００による画像および音声の再生は以上のように行われていたので、以下のような課題がある。
（１）ディジタルスチルカメラ１００が備えているシリアルインタフェースまたはディジタルスチルカメラ１００が扱えるＰＣカード等の外部記憶媒体を介して画像や音声を再生しようとすると、シリアルインタフェースポートまたはＰＣカード部４０２等の外部記憶媒体読取装置を備えたパーソナルコンピュータ４００を用意しなければならない。そして、ユーザは、パーソナルコンピュータ４００を起動後ＯＳが立ち上がるまで待ち、その後、キーボード４０７やマウス４０８を用いてアプリケーションプログラムを起動し、さらに、ファイル指定を行う必要がある。
　【００１９】一般にパーソナルコンピュータ４００のＯＳ起動の際に、ハードディスクからＯＳが立ち上げられるとともに、ＯＳがキーボード４０７、マウス４０８、その他の周辺機器の確認を行うので、起動完了するまでに時間がかかる。さらにアプリケーションプログラムにおいてユーザ操作が求められるので、画像や音声を再生可能になるまでに時間がかかる。すなわち、パーソナルコンピュータ４００を用いてディジタルスチルカメラ１００の画像や音声を再生しようとすると、パーソナルコンピュータ４００を起動してから再生開始できるまでに時間がかかり、ユーザを待たせる結果、ユーザがいらつくなどの課題がある。また、パーソナルコンピュータ４００やモニタ４０４の設置場所を確保しなければならない。さらに、そもそもパーソナルコンピュータ４００を持たない家庭では、パーソナルコンピュータ４００を用いたディジタルスチルカメラ１００の画像や音声の再生はできない。
　【００２０】（２）パーソナルコンピュータ４００を持たない家庭ではテレビ５０１等の映像再生装置を用いてディジタルスチルカメラ１００の画像や音声の再生を行うことになるが、その場合には、ユーザは、まず、ケーブル５０２，５０３によって、ディジタルスチルカメラ１００のビデオ出力端子１０９および音声出力端子１１０と、テレビ５０１等のビデオ入力端子５０６および音声入力端子５０７とを接続する。そして、テレビ５０１等とディジタルスチルカメラ１００の電源をオンし、その後、リモコン５１０等によって、テレビ５０１等の信号入力先を設定してから画像や音声の再生操作を行う必要がある。
　【００２１】一般にテレビ５０１では、信号入力先としてディジタルスチルカメラ１００は想定されていない。よって、映像再生装置としてテレビ５０１を用いる場合、ユーザは、入力信号の切替のために、リモコン５１０のテレビ／ビデオ切替キーによってビデオ側を選択する必要がある。しかし、そのような選択処理に気づかないユーザは、テレビ５０１を用いたディジタルスチルカメラ１００の画像や音声の再生を行うことはできない。
　【００２２】（３）パーソナルコンピュータ４００を用いてディジタルスチルカメラ１００の画像を印刷出力しようとすると、さらに、プリンタ４０５の電源をオンし、アプリケーションプログラムが表示する画面において印刷ボタンをマウス４０８でクリックするといった操作も行う必要がある。よって、プリンタ４０５を設置するための設置場所も確保しなければならず、更なる配線処理が必要とされ、かつ、印刷のためのマウス操作が求められるのでユーザにとって煩わしい。また、そもそもパーソナルコンピュータ４００を持たない家庭では、パーソナルコンピュータ４００を用いたディジタルスチルカメラ１００の画像の印刷はできない。
　【００２３】（４）テレビ５０１等の映像再生装置を用いてディジタルスチルカメラ１００の画像を印刷出力しようとすると、ビデオプリンタ５０５を用意しなければならない。この場合、ユーザは、まず、ディジタルスチルカメラ１００のビデオ出力端子１０９とテレビ５０１等のビデオ入力端子５０６とをケーブル５０３で接続し、さらに、テレビ５０１等のビデオ映像出力端子５０８とビデオプリンタ５０５の映像信号入力端子５０９とをケーブル５０４で接続する必要がある。直接印刷出力するために、ディジタルスチルカメラ１００のビデオ出力端子１０９をビデオプリンタ５０５の映像信号入力端子５０９に接続する場合には、印刷出力される画像を確認するために、ビデオプリンタ５０５のビデオ出力端子を、テレビ５０１等のビデオ入力端子５０６に接続する必要がある。そして、テレビ５０１等の映像再生装置、ディジタルスチルカメラ１００およびビデオプリンタ５０５の電源をオンし、画像をテレビ５０１等の表示で確認しながらディジタルスチルカメラ１００を操作して目的の画像を選択し、ビデオプリンタ５０５に印刷出力させる。
　【００２４】このように、テレビ５０１等の映像再生装置を用いてディジタルスチルカメラ１００の画像を印刷出力しようとすると、配線が複雑であって、画像印刷するのにかなりの手間がかかる。また、ビデオプリンタ５０５は高価であって一般家庭では用意されていない場合が多い。よって、一般家庭においてディジタルスチルカメラ１００の画像を印刷出力することは困難である。
　【００２５】（５）ディジタルスチルカメラ１００で撮像された画像のデータは、内蔵されているフラッシュメモリやＰＣカード等の外部記憶媒体に記憶されるが、一般に、画像の再生を行った後に、次の撮像のために消去される。パーソナルコンピュータ４００を用いて画像再生した場合には、パーソナルコンピュータ４００のハードディスク等に画像データを保存することはできるが、テレビ５０１等の映像再生装置を用いて画像再生する場合には、画像データを保存する手段はない。すなわち、パーソナルコンピュータ４００を有していない環境では、ディジタルスチルカメラ１００で撮像された画像の保存は困難である。
　【００２６】本発明は、上記のような課題を解決するためのものであって、ディジタルスチルカメラで撮像された画像および録音された音声を簡便に再生できるとともに、さらに、画像や音声を利用して種々の便利機能を供するディジタル画像再生装置および画像再生方法ならびに画像再生プログラムが格納された記録媒体を提供することを目的とする。
　【００２７】なお、特開平４−３２８９７４号公報には、ビデオ信号および音声信号の入力端子と外部記憶装置とのインタフェースとを有し、さらに、パーソナルコンピュータと接続するためのインタフェースと外部モニタ装置への信号出力端子とを備えた携帯型の静止画ファイル装置が開示されている。また、モニタ装置は内蔵可能であるとされている。この装置によれば、ビデオ信号入力端子および音声信号入力端子から入力した画像データおよび音声データを、外部モニタ装置または内蔵されたモニタ装置で再生することができ、また、外部接続されたパーソナルコンピュータで、画像データおよび音声データを加工することができる。さらに、外部記憶装置とのインタフェースを介して、外部記憶装置との間で情報の入出力を行うことができる。
　【００２８】しかしながら、特開平４−３２８９７４号公報に開示された静止画ファイル装置は、その公報に明記されているように携帯することを目的としているので、モニタ装置を内蔵するとしても、比較的小サイズのモニタ装置しか内蔵することができない。よって、機能性はあるものの、大画面で画像再生しようとすると、やはり、外部にモニタ装置やパーソナルコンピュータを接続しなければならない。また、携帯型であることからプリンタ装置を内蔵するには無理があり、公報に示されているように、画像データを印刷出力するにはビデオプリンタ等を接続しなければならない。すなわち、上記公報に開示された装置は、その装置のみをもって、ディジタルスチルカメラから入力した画像データを有効に再生したり印刷出力することはできない。
　【００２９】
　【課題を解決するための手段】本発明によるディジタル画像再生装置は、ディジタルスチルカメラから入力した画像データを表示可能な画像に再生する再生手段と、再生手段が出力する画像にもとづいて可視表示を行う表示手段とを備えたものである。ディジタル画像再生装置は、再生手段が出力する画像にもとづいて印刷出力を行う印刷手段をさらに備えた構成であってもよい。
　【００３０】ディジタル画像再生装置は、電源が投入されると、自動的に再生手段を起動し、再生手段に、画像データもしくは音声データまたは双方のデータを出力する媒体からのデータを取り込んで画像もしくは音声または双方を再生させる起動手段を備えた構成であってもよい。ここで、媒体とは、ＰＣカードやＦＤなどの外部記憶媒体とともに、シリアルインタフェースなどの電気的インタフェースをも含む概念である。起動手段は、画像データもしくは音声データまたは双方のデータを出力する媒体が接続されると、自動的に電源を投入するとともに、再生手段を起動して、再生手段に、画像データもしくは音声データまたは双方のデータを出力する媒体からのデータを取り込んで画像もしくは音声または双方を再生させる構成であってもよい。
　【００３１】ディジタル画像再生装置は、画像データもしくは音声データまたは双方のデータを保存する保存手段を備えた構成であってもよい。再生手段は、保存手段が保存した特定の画像データもしくは音声データまたは双方のデータが存在する場合に、電源が投入されると自動的に保存されている画像データもしくは音声データまたは双方のデータから画像もしくは音声または双方を再生する構成であってもよい。ディジタル画像再生装置は、再生手段が再生した画像を、あらかじめ保存されている画像と合成する合成手段を備えた構成であってもよい。保存手段は、画像データおよび音声データを保存する際に、両者を関連付けて保存する関連付け手段を含んでいてもよい。そして、関連付け手段は、画像データを含む画像ファイルと音声データを含む音声ファイルに同一のファイル名を付すとともに識別子を異ならせるように構成されていてもよい。
　【００３２】また、ディジタル画像再生装置は、テレビジョン映像もしくはテレビジョン音声または双方を取り込んで保存するキャプチャ手段を備えていてもよい。さらに、キャプチャ手段が保存したテレビジョン映像と、入力された音声とを関連付けて保存するキャプチャ映像関連付け手段を備えていてもよい。再生手段は、キャプチャ映像関連付け手段が保存したデータが存在する場合に、保存されている画像データおよび音声データから画像および音声を再生する構成であってもよい。ディジタル画像再生装置は、キャプチャ手段が保存したテレビジョン映像と、再生手段が再生した画像とを合成するキャプチャ映像合成手段を備えていてもよい。
　【００３３】なお、上記の再生手段、起動手段、合成手段、関連付け手段、キャプチャ手段、キャプチャ映像関連付け手段、キャプチャ映像合成手段を、ハードウェアで構成することもできるが、ＣＰＵとＲＯＭに格納されたプログラムとで構成することもできる。また、表示手段は、例えば、ＣＲＴ等の表示装置で実現可能である。印刷手段は、例えば、印刷装置とＣＰＵおよびＲＯＭに格納されたプログラムとで実現可能である。保存手段は、例えば、外部記憶媒体駆動装置とＣＰＵおよびＲＯＭに格納されたプログラムとで実現可能である。キャプチャ手段は、例えば、テレビジョン信号受信回路とＣＰＵおよびＲＯＭに格納されたプログラムとで実現可能である。
　【００３４】また、本発明によるディジタル画像再生装置は、ディジタルスチルカメラからの画像データもしくは音声データまたは双方のデータを入力するカメラデータ入力手段と、テレビジョン信号を入力するテレビジョン信号入力手段と、カメラデータ入力手段からの画像データをＲＧＢ信号に変換する変換手段と、変換手段からのＲＧＢ信号とテレビジョン信号入力手段からの映像信号を切り替えて表示手段に出力する画像切替手段と、カメラデータ入力手段からの音声データを音声信号に変換する音声変換手段と、音声変換手段からの音声信号とテレビジョン信号入力手段からの音声信号を切り替えて音声出力手段に出力する音声切替手段とを備えた構成とすることができる。ディジタル画像再生装置は、入力された画像データにもとづいて印刷を行う印刷手段をさらに備えていてもよい。
　【００３５】ディジタル画像再生装置は、テレビジョン信号入力手段からの映像信号をディジタル画像データに変換する映像信号Ａ−Ｄ変換手段と、テレビジョン信号入力手段からの音声信号をディジタル音声データに変換する音声信号Ａ−Ｄ変換手段と、ディジタル画像データもしくはディジタル音声データまたは双方のデータを保存するメモリ手段とをさらに含む構成であってもよい。外部から入力される音声を取り込む音声信号入力手段と、音声信号入力手段からの音声信号をディジタル音声データに変換する音声信号Ａ−Ｄ変換手段と、カメラデータ入力手段からの画像データと音声信号Ａ−Ｄ変換手段からの音声データとを保存するメモリ手段とを含む構成であってもよい。外部から入力される音声を取り込む音声信号入力手段と、テレビジョン信号入力手段からの音声信号と音声信号入力手段からの音声信号を切り替えて音声信号Ａ−Ｄ変換手段に出力する入力音声切替手段とを含む構成であってもよい。
　【００３６】本発明による画像再生方法は、画像の再生、画像の加工、伝言設定および伝言確認をユーザが選択しうる階層構成のメニュー画面を表示し、画像の再生が選択されるとユーザが指定した媒体から画像を取り込んで再生し、画像の加工が選択されるとユーザが指定した媒体から取り込んだ画像に加工を施し、伝言設定が選択されるとユーザが指定した媒体から取り込んだ画像に音声を付随させて保存し、伝言確認が選択されると保存されている画像および音声を再生するように構成される。
　【００３７】本発明による記録媒体に格納された画像再生プログラムは、ユーザ選択に応じて、画像の再生処理、画像の加工処理、伝言設定処理または伝言確認処理を開始し、画像の再生処理が開始されるとユーザが指定した媒体から画像を取り込んで再生し、画像の加工処理が開始されるとユーザが指定した媒体から取り込んだ画像に加工を施し、伝言設定処理が開始されるとユーザが指定した媒体から取り込んだ画像に音声を付随させて保存し、伝言確認処理が開始されると保存されている画像および音声を再生するように構成される。また、画像再生プログラムは、さらに、ユーザ指定に応じて再生画像を印刷出力する処理を行うように構成されていてもよい。なお、画像再生プログラムは、例えばＲＯＭに格納される。
　【００３８】
　【発明の実施の形態】以下、本発明の実施の形態を図面を参照して説明する。図１は、本発明によるディジタル画像再生装置の一例を、付属するリモコン１０７およびディジタルスチルカメラ１００とともに示す説明図である。この例では、図１に示すように、ディジタル画像再生装置１０の前面には、電源スイッチ１０１、リモコン１０７からの光を受けるためのリモコン受光窓１０２、ＰＣカードからのデータ読み込みとＰＣカードへのデータ書き込みとを行うＰＣカード部１０３の挿入口、プリンタ部から出力される紙等を排出するプリンタ出力口１０４、シリアルインタフェースケーブルが接続されるシリアルデータ端子１０５、およびＦＤからのデータ読み込みとＦＤへのデータ書き込みとを行うフロッピーディスクドライブ部（ＦＤＤ部）１０６の挿入口が設けられている。なお、使用されるディジタルスチルカメラ１００は、図１６に示された従来のものと同じものでよい。
　【００３９】実施の形態１．図２は、ディジタル画像再生装置１０の第１の実施の形態を示す内部ブロック図である。ディジタル画像再生装置１０は、リモコン１０７からの信号光を受光するリモコン受光部１２２を有する。ユーザがリモコン１０７を介して行った操作内容は、リモコン受光部１２２を介してＣＰＵ１２０に伝えられる。チューナ部（テレビジョン信号入力手段）１２６は、アンテナ入力端子１２５からのテレビジョン信号に含まれる映像信号および音声信号をＮＴＳＣ信号切替部（テレビジョン信号入力手段）１３２に出力する。ＮＴＳＣ信号切替部１３２には、ビデオ入力端子１２７と音声入力端子１２８とを介して、外部機器からの映像信号および音声信号も入力され、その映像信号とアンテナ入力端子１２５からの映像信号とのうちのいずれかをＮＴＳＣ信号処理部（テレビジョン信号入力手段）１３３に出力する。また、外部機器から音声信号とアンテナ入力端子１２５からの音声信号とのうちのいずれかを音声スイッチ部（音声切替手段）２０７に出力する。ＮＴＳＣ信号処理部１３３は各種調整を施した映像信号を映像スイッチ部（画像切替手段）２０６に出力する。
　【００４０】ＲＯＭおよびＲＡＭを内蔵したＣＰＵ１２０には、バスライン２１７を介して、ＰＣカード部（カメラデータ入力手段）１０３、ＦＤＤ（カメラデータ入力手段）１０６、入力したディジタル画像データに水平同期信号や垂直同期信号等を付加してディジタルＲＧＢ信号を生成するディジタルＲＧＢ信号処理部（変換手段）２１０、入力したディジタル音声データをアナログ音声信号に変換するディジタル音声処理部（音声変換手段）２１１、シリアルデータ端子１０５に接続されシリアル／パラレル変換を行うシリアルインタフェース部（カメラデータ入力手段）２１４、および画像データを印刷出力できるデータに変換するプリンタ制御部（印刷手段）２１５が接続されている。印刷部（印刷手段）２１６は、プリンタ制御部２１５からのデータにもとづいて紙等に印刷を行い、紙等をプリント出力口１０４に排出する。
　【００４１】また、ＣＰＵ１２０は、電源スイッチ１０１の状態を入力し、状態に応じてスイッチ１３４をオンする。スイッチ１３４がオンしていない状態では、電源部１２４からＣＰＵ１２０、リモコン受光部１２２、電源スイッチ１０１、ＰＣカード部１０３、ＦＤＤ１０６およびシリアルインタフェース部２１４のみに電源供給される。スイッチ１３４がオンすると、その他のブロックにも電源供給される。
　【００４２】ディジタルＲＧＢ信号処理部２１０からのディジタルＲＧＢ信号は、ＲＧＢ信号処理部（変換手段）２０９でアナログＲＧＢ信号に変換され、映像スイッチ部２０６に出力される。映像スイッチ部２０６は、ＮＴＳＣ信号処理部１３３からの映像信号とＲＧＢ信号処理部２０９からのアナログＲＧＢ信号とのうちのいずれかをブラウン管１２９側に出力する。また、ＲＧＢ信号処理部２０９からのアナログＲＧＢ信号は、ＲＧＢ−ＮＴＳＣ変換部２０５で映像信号に変換され、ビデオ映像出力端子２０４に出力される。
　【００４３】音声スイッチ部２０７は、ＮＴＳＣ信号切替部１３２からの音声信号とディジタル音声処理部２１１からの音声信号とのうちのいずれかを音声信号出力部１３１に出力する。音声信号出力部１３１は音声信号をスピーカ１３０に出力する。また、ディジタル音声処理部２１１からの音声信号は音声信号出力端子２０３にも出力される。
　【００４４】次に、図３のフローチャートを参照して動作について説明する。ユーザが、ディジタル画像再生装置１０の電源コードのプラグをコンセントに挿入すると、ＣＰＵ１２０、リモコン受光部１２２、電源スイッチ１０１、ＰＣカード部１０３、ＦＤＤ１０６およびシリアルインタフェース部２１４に電源供給される。この実施の形態では、ＰＣカードまたはＦＤがディジタル画像再生装置１０に挿入されるか、または、シリアルデータの入力があると、自動的に画像あるいは音声、または双方の再生が開始される。
　【００４５】ＰＣカードが挿入されると（ステップＳ３０１，Ｓ３０２）、ＰＣカード部１０３に備えられている機械的スイッチ（図示せず）が挿入を検知する。ＰＣカード部１０３は、ＰＣカードの挿入をＣＰＵ１２０に知らせる。すると、ＣＰＵ１２０は、スイッチ１３４をオンして、装置内の全てのブロックに電源供給される状態にする（ステップＳ３０７）。ＦＤが挿入された場合には（ステップＳ３０１，Ｓ３０３）、ＦＤＤ部１０６に備えられている機械的スイッチ（図示せず）が挿入を検知する。ＦＤＤ部１０６は、ＦＤの挿入をＣＰＵ１２０に知らせる。その場合にも、ＣＰＵ１２０は、装置内の全てのブロックに電源供給される状態にする（ステップＳ３０７）。
　【００４６】また、ディジタルスチルカメラ１００のシリアルデータ端子１１１に接続されるシリアルデータケーブルがシリアルデータ端子１０５に挿入され（ステップＳ３０４）、ディジタルスチルカメラ１００の電源がオンされ（ステップＳ３０５）、シリアルインタフェース部２１４がシリアルデータの入力を開始すると（ステップＳ３０６）、シリアルインタフェース部２１４は、シリアルデータを入力したことをＣＰＵ１２０に伝える。その場合にも、ＣＰＵ１２０は、装置内の全てのブロックに電源供給される状態にする（ステップＳ３０７）。
　【００４７】そして、ＣＰＵ１２０は、ＲＯＭに格納されているＯＳを立ち上げ、さらにディジタル画像再生ソフトウェアを立ち上げる（ステップＳ３０８）。また、ＣＰＵ１２０は、映像スイッチ部２０６を、ＲＧＢ信号処理部２０９からのアナログＲＧＢ信号を選択するように切り替える。さらに、音声スイッチ部２０７を、ディジタル音声処理部２１１からの音声信号を選択するように切り替える。
　【００４８】ＰＣカードやＦＤの外部記憶媒体に画像データおよび音声データが格納されていた場合に、それらのファイルを順番付けしたインデックスが含まれていたときには、最も若い番号の画像ファイルおよび音声ファイルを選択する（ステップＳ３０９，Ｓ３１０）。インデックスが含まれていないときには、アルファベット順で最も若い画像ファイルおよび音声ファイルを選択する（ステップＳ３０９，Ｓ３１１）。なお、画像ファイルに関連する音声ファイルが存在する場合には、それらのファイルは関連付けされている。
　【００４９】ＰＣカード、ＦＤまたはシリアルインタフェースを介して入力されるディジタルスチルカメラ１００が撮像した画像のデータおよび録音した音声のデータは、データ圧縮されている。よって、ＣＰＵ１２０は、入力したそれらのデータを復号してＲＡＭに展開する。そして、復号された画像データをディジタルＲＧＢ信号処理部２１０に転送する。ディジタルＲＧＢ信号処理部２１０は、転送されてきたディジタル画像データに水平同期信号や垂直同期信号等を付加してディジタルＲＧＢ信号を生成する。ディジタルＲＧＢ信号は、ＲＧＢ信号処理部２０９に出力される。ＲＧＢ信号処理部２０９は、ディジタルＲＧＢ信号をアナログＲＧＢ信号に変換して映像スイッチ部２０６に出力する。映像スイッチ部２０６は、ＲＧＢ信号処理部２０９からのアナログＲＧＢ信号を選択するように切り替えられているので、ＲＧＢ信号処理部２０９からのアナログＲＧＢ信号にもとづいてブラウン管１２９に画像表示がなされる。
　【００５０】画像ファイルに関連付けられた音声ファイルが存在する場合には、ＣＰＵ１２０は、そのファイル内の音声データをディジタル音声処理部２１１に転送する。ディジタル音声処理部２１１は、音声データをアナログ音声信号に変換して音声スイッチ部２０７に出力する。音声スイッチ部２０７は、ディジタル音声処理部２１１からの音声信号を音声信号出力部１３１に出力する。
　【００５１】ユーザが、再生された画像が所望の画像でない場合には、リモコン１０７で他の画像を選択する操作を行う（ステップＳ３１２）。すると、ＣＰＵ１２０は、選択された画像を表示するために、外部記憶媒体中の選択された画像ファイル内の画像データを復号してディジタルＲＧＢ信号処理部２１０に転送する（ステップＳ３１３）。また、その画像ファイルに関連付けられた音声ファイルが存在する場合には、ＣＰＵ１２０は、その音声ファイル内の音声データをディジタル音声処理部２１１に転送する。
　【００５２】このようにして、ユーザは、リモコン操作によって所望の画像をブラウン管１２９に表示させることができ、かつ、関連する音声をスピーカから発声させることができる。なお、ここでは、ユーザが所望のファイルを選択するようにしたが、リモコン操作によって次の画像を再生し、ユーザが所望する画像が表示されるまでリモコン操作に応じて画像再生が順次行われるように構成してもよい。また、所定個（例えば８個）の画像をブラウン管１２９に縮小表示し、ユーザがリモコン１０７で選択した画像をフルサイズ表示（全画面表示）するように構成してもよい。
　【００５３】ユーザが、表示されている画像をプリントアウトしたい場合には、リモコン１０７によって印刷指令を発する。すると、ＣＰＵ１２０は、リモコン受光部１２２を介してその指令を受け取る（ステップＳ３１４）。そして、ＲＡＭ内の画像データをプリンタ制御部２１５に転送する。プリンタ制御部２１５は、画像データを印刷可能な形式に変換して印刷部２１６に出力する。印刷部２１６は、入力されたデータにもとづいて紙等に印刷を行いプリント出力口１０４から排出する（ステップＳ３１５）。なお、この実施の形態では、ＲＧＢ−ＮＴＳＣ変換部２０５がＲＧＢ信号処理部２０９からのアナログＲＧＢ信号をＮＴＳＣの映像信号に変換してビデオ映像出力端子２０４に出力するので、ビデオ映像出力端子２０４にケーブル接続されたビデオプリンタによっても印刷出力を行うことができる。
　【００５４】シリアルインタフェース部２１４から画像データを入力する場合には、ＣＰＵ１２０は、上述した処理と同様に、入力された画像データの復号処理を行ってディジタルＲＧＢ信号処理部２１０に転送する。
　【００５５】ユーザがテレビを見たい場合には、リモコン１０７によって電源を投入させる操作を行い、リモコン１０７のテレビキー等を押下する。ＣＰＵ１２０は、テレビキー等が押下されたことをリモコン受光部１２２を介して知る。すると、ＣＰＵ１２０は、映像スイッチ部２０６を、ＮＴＳＣ信号処理部１３３からの映像信号を選択するように切り替える。さらに、音声スイッチ部２０７を、ＮＴＳＣ信号切替部１３２からの音声信号を選択するように切り替える。よって、ブラウン管１２９には、アンテナ入力端子１２５からの映像信号にもとづく映像が再生される。また、スピーカ１３０から、アンテナ入力端子１２５からの映像信号にもとづく音声が出力される。なお、当然、チューナ部１２６は、リモコン１０７で指定されたチャネルの映像信号の再生を行う。
　【００５６】以上のように、この実施の形態によれば、ディジタル画像再生装置１０が、テレビジョン受像機能に加えて、画像データおよび音声データを入力するためのＰＣカード部１０３、ＦＤＤ１０６およびシリアルインタフェース部２１４を備えている。従って、従前のテレビ５０１に代えてこのディジタル画像再生装置１０を置けば、実質的に設置面積を増やすことなく、ディジタルスチルカメラ１００の画像の再生を行うことができる。また、図２に示されたように、ディジタル画像再生装置１０が、印刷機能を備えている場合には、パーソナルコンピュータやビデオプリンタを用意しなくてもディジタルスチルカメラ１００の画像の印刷を行うことができる。さらに、このディジタル画像再生装置１０によれば、画像の再生や印刷を行う際に、複雑な配線を行うことが不要になり、一般ユーザにとって使いやすいものとなっている。
　【００５７】また、画像の再生および印刷が行われるときに、自動的に、またはリモコン操作のみによってそれらが実行されるので、簡便にディジタルスチルカメラ１００の画像の再生および印刷を行うものが提供される。さらに、このディジタル画像再生装置１０では、装置全体の電源がオンされるときに自動的にＲＯＭ内のＯＳやアプリケーションソフトウェアが起動される。よって、ＣＰＵ１２０の性能によって差があるが、例えば５秒程度で画像再生を開始できる状態になる。ＲＯＭからの自動立ち上げは、このディジタル画像再生装置１０によって初めて可能になるのであって、従来のテレビ５０１を用いてディジタルスチルカメラ１００の画像の再生および印刷を行う方式では不可能であった。また、従来のパーソナルコンピュータ４００を用いてディジタルスチルカメラ１００の画像の再生および印刷を行う方式では、パーソナルコンピュータ４００において種々のアプリケーションプログラムを使用することが普通であるから、電源投入時にディジタル画像再生ソフトウェアを自動立ち上げするのは不便である。
　【００５８】この実施の形態では、ＰＣカードまたはＦＤがディジタル画像再生装置１０に挿入されるか、または、シリアルデータの入力があると、自動的に電源投入され、かつ、自動的に画像あるいは音声または双方の再生が開始された。しかし、ユーザによって電源が投入されると、ＯＳおよびアプリケーションソフトウェアを起動し、その後、ＰＣカードまたはＦＤがディジタル画像再生装置１０に挿入されるか、または、シリアルデータの入力があると、自動的に画像あるいは音声または双方の再生を開始するように構成することもできる。
　【００５９】実施の形態２．第１の実施の形態では外部記憶媒体が挿入されたりシリアルインタフェースによるデータ入力があると自動的に画像の再生が行われたが、メニュー形式を用いてディジタルスチルカメラ１００の画像の再生および印刷を行うこともできる。図４は、そのようなディジタル画像再生装置による処理を示すフローチャートである。なお、この実施の形態のディジタル画像再生装置の構成は、図２に示された構成と同じでよい。
　【００６０】以下、動作について説明する。電源スイッチ１０１がオンされるか、または、リモコン１０７から電源オンの指令が出されると、ＣＰＵ１２０は、スイッチ１３４をオンして、装置全体に電源供給される状態にする（ステップＳ４０１，４０２）。そして、ディジタル画像再生ソフトウェアを立ち上げ、図５（Ａ）に示すようなメニュー画面をブラウン管１２９に表示する処理を行う（ステップＳ４０３）。具体的には、映像スイッチ部２０６を、ＲＧＢ信号処理部２０９からのアナログＲＧＢ信号を選択するように切り替え、ディジタルＲＧＢ信号処理部２１０に、ＲＯＭに格納されているメニュー画面データを出力する。
　【００６１】この実施の形態では、ユーザは、リモコン１０７によって、「写真を見る」、「加工・編集」、「伝言」および「便利な機能」を選択しうるとする。「写真を見る」は、外部記憶媒体またはシリアルインタフェースを介する画像を表示させる処理である。「加工・編集」は、外部記憶媒体等に格納されている画像の編集を行ったり加工したりする処理である。「伝言」は、他者に伝えたい伝言（画像と音声を含む）を設定したり再生したりする処理である。「便利な機能」は、例えばＦＤをフォーマッティングする処理である。ユーザが、リモコンの所定キーによって、所望の処理が選択されるようにカーソル（図５の例では太枠）移動させ、決定キーを押下すると、カーソルが指している処理が起動される。
　【００６２】ここでは、ディジタルスチルカメラ１００の画像の再生について説明する。従って、ユーザがリモコン操作を行って「写真を見る」以外の処理を選択した場合には、他の処理が行われる（ステップＳ４０４，Ｓ４０５，Ｓ４０６）。
　【００６３】リモコン操作で「写真を見る」が選択されると、ＣＰＵ１２０は、図５（Ｂ）に示す媒体選択メニュー画面をブラウン管１２９に表示する（ステップＳ４０７）。ユーザが所望の媒体にカーソルを合わせて決定キーを押下すると、ＣＰＵ１２０は、図５（Ｃ）に示す処理選択メニュー画面をブラウン管１２９に表示する（ステップＳ４０８，Ｓ４０９）。なお、図５（Ｃ）に示す処理選択メニュー画面において、サムネイル表示のウィンドウには、選択された外部記憶媒体における各画像ファイル中の画像が複数個縮小表示される（ステップＳ４１０）。画像ファイル中の画像表示処理は、第１の実施の形態の場合と同様に行われる。そして、ユーザは、それらのうちのいずれかを、リモコン操作によって選択できる。
　【００６４】図５（Ｃ）に示す処理選択メニュー画面において、リモコン操作によって処理が選択されると（ステップＳ４１１）、該当する処理に関するメニュー画面が表示され（ステップＳ４１２）、該当する処理が実行される（ステップＳ４１３）。なお、メニュー画面が表示されず、直ちに該当処理を開始する場合もある。
　【００６５】処理選択メニュー画面において、「全画面表示」が選択されると、ＣＰＵ１２０は、そのときに選択されていた画像を画面全体に表示する（図５（Ｄ）参照）。また、「スライドショー」が選択されると、ＣＰＵ１２０は、外部記憶媒体における各画像ファイル中の画像を順に再生する処理を行って、ブラウン管１２９に順次表示させる。「写真の追加」が選択されると、ＣＰＵ１２０は、図５（Ｅ）に示すメニュー画面表示を行い、選択されている画像をファイル化してＦＤに書き込む。「写真の追加」は、例えば、シリアルインタフェースを介してディジタルスチルカメラ１００から画像を取り込み、その画像をＦＤに保存する処理である。また、「写真の削除」が選択されると、ＣＰＵ１２０は、図５（Ｆ）に示すメニュー画面表示を行い、選択されている画像のファイルをＦＤから削除する。なお、ここでは、「写真の追加」および「写真の削除」をＦＤを対象とする処理としたが、その他の外部記憶媒体を対象にしてもよい。
　【００６６】以上のように、この実施の形態では、電源供給が開始されると、メニュー画面が表示される。そして、ユーザは、リモコン操作によって所望の画像を選択でき、かつ、所望の処理を行わせることができる。よって、ユーザインタフェースがさらに簡便になる。
　【００６７】なお、画像の印刷を行う場合には、ユーザは、図５（Ｃ）に示すメニューにおいて画像を選択し、リモコン１０７の印刷キーを押下すればよい。すると、ＣＰＵ１２０は、そのときに選択されている画像のデータをプリンタ制御部２１５に転送する。また、各メニュー画面において「戻る」が選択されると、表示が前画面に戻って１つ前の階層の処理に戻るが、図４のフローチャートでは、そのことは省略されている。
　【００６８】実施の形態３．図６は第３の実施の形態の動作を示すフローチャートである。この実施の形態のディジタル画像再生装置の構成も、図２に示された構成と同じでよい。この実施の形態では、図７（Ａ）に示すようなメニュー画面において、「加工・編集」が選択されたとする。
　【００６９】以下、動作について説明する。電源スイッチ１０１がオンされるか、または、リモコン１０７から電源オンの指令が出されると、ＣＰＵ１２０は、スイッチ１３４をオンして、装置全体に電源供給される状態にする（ステップＳ６０１，６０２）。そして、ディジタル画像再生ソフトウェアを立ち上げ、図７（Ａ）に示すようなメニュー画面をブラウン管１２９に表示する処理を行う（ステップＳ７０３）。ユーザがリモコン操作を行って「加工・編集」以外の処理を選択した場合には、他の処理が行われる（ステップＳ６０４，Ｓ６０５，Ｓ６０６）。
　【００７０】リモコン操作で「加工・編集」が選択されると、ＣＰＵ１２０は、図７（Ｂ）に示す媒体選択メニュー画面をブラウン管１２９に表示する（ステップＳ６０７）。ユーザが所望の媒体にカーソルを合わせて決定キーを押下すると、ＣＰＵ１２０は、図７（Ｃ）に示す加工・編集メニュー画面をブラウン管１２９に表示する（ステップＳ６０８，Ｓ６０９）。図７（Ｃ）に示す加工・編集メニュー画面において、サムネイル表示のウィンドウには、選択された外部記憶媒体における各画像ファイル中の画像が複数個縮小表示される。そして、ユーザは、それらのうちのいずれかを、リモコン操作によって選択できる。
　【００７１】図７（Ｃ）に示す加工・編集選択メニュー画面において、リモコン操作によって処理が選択されると（ステップＳ６１０）、該当する処理に関するメニュー画面が表示され、該当する処理が実行される。ここでは、「画像の合成」が選択されたとする（ステップＳ６１１，Ｓ６１２）。「画像の合成」は、外部記憶媒体またはシリアルインタフェースを介して取り込んだディジタルスチルカメラ１００の画像と、所定の保存画像（フレーム画像）とを合成する処理である。
　【００７２】「画像の合成」が選択されると、ＣＰＵ１２０は、図７（Ｄ）に示すフレーム選択メニュー画面を表示する（ステップＳ６１３）。ここで、図７（Ｃ）に示すメニューにおいて選択された画像データが、例えば１／４サイズで表示されている。ユーザは、リモコン操作によって選択画像と合成されるべきフレームまたはコメントを選択する。ここでは、フレーム画像が選択される「フレーム選択」をユーザが選択したとする。すると、ＣＰＵ１２０は、図７（Ｅ）に示すフレーム媒体選択メニュー画面を表示する（ステップＳ６１４）。
　【００７３】フレーム媒体選択メニュー画面において、「内蔵フレーム」は、ＣＰＵ１２０のＲＯＭ等に格納されている各フレーム画像を意味する。「ＦＤフレーム」は、ＦＤに格納されている各フレーム画像を意味する。フレーム画像は、例えば、飾り枠の画像や特定の人物画像である。また、フレーム媒体選択メニュー画面において、図７（Ｃ）に示すメニューにおいて選択された画像データも表示されている。「内蔵フレーム」または「ＦＤフレーム」が選択され、リモコン１０７の決定キーが押下されると、ＣＰＵ１２０は、図７（Ｆ）に示す画像合成メニュー画面を表示する。
　【００７４】画像合成メニュー画面において、選択された記憶媒体中の最初のフレーム画像が例えば１／４サイズで表示される。また、ＣＰＵ１２０は、図７（Ｃ）に示されたメニュー画面において選択された合成対象の画像データと、現在選択されている記憶媒体中のフレーム画像とを合成し合成画像データを出力して、画面の一部に表示させる。ユーザがその合成画像を気に入らないときには、リモコン操作によって次のフレーム画像を選択することができる。フレーム画像の選択変更が行われると（ステップＳ６２０）、ＣＰＵ１２０は、選択された記憶媒体中の次のフレーム画像を表示するとともに、合成対象の画像データと、現在選択されている記憶媒体中のフレーム画像とを合成し合成画像データを表示する（ステップＳ６２１）。
　【００７５】そして、ユーザが、リモコン操作によって「フレームの決定」を選択すると（ステップＳ６２２）、ＣＰＵ１２０は、そのときに表示されている合成画像をファイル化して外部記憶媒体に格納する（ステップＳ６２３）。
　【００７６】以上のような処理によって、外部記憶媒体やシリアルインタフェースを介して入力したディジタルスチルカメラ１００の画像と、所定のフレーム画像とが合成された合成画像を得ることができる。合成画像を得る過程において、ユーザは、全ての操作をリモコン１０７を通して行えるので、この実施の形態によれば、簡便なユーザインタフェースによって合成画像を得ることができる。
　【００７７】合成画像を印刷出力することもできる。その場合には、例えば、図７（Ｆ）に示すメニューにおいて合成画像を選択し、リモコン１０７の印刷キーを押下すればよい。すると、ＣＰＵ１２０は、そのときに選択されている合成画像のデータをプリンタ制御部２１５に転送する。
　【００７８】実施の形態４．図８は、本発明によるディジタル画像再生装置１０の第４の実施の形態を示す内部ブロック図である。図８に示す構成は、図２に示された構成に対して、映像と音声を保存するための映像・音声データ保存用ＲＡＭ（メモリ手段）２２１、映像信号をディジタル画像データに変換する映像信号Ａ−Ｄ変換処理部（映像信号Ａ−Ｄ変換手段）２２２および音声信号をＡ−Ｄ変換する音声信号Ａ−Ｄ変換処理部（音声信号Ａ−Ｄ変換手段）２２３が付加されている。映像信号Ａ−Ｄ変換処理部２２２はバスライン２１７に接続され、また、映像信号Ａ−Ｄ変換処理部２２２には、ＮＴＳＣ信号処理部１３３からの映像信号が入力される。音声信号Ａ−Ｄ変換処理部２２３はバスライン２１７に接続され、また、音声信号Ａ−Ｄ変換処理部２２３には、ＮＴＳＣ信号切替部１３２からの音声信号が入力される。
　【００７９】次に、図９のフローチャートを参照して動作について説明する。ここでは、第１の実施の形態の動作と異なる動作のみを説明する。ユーザは、ディジタル画像再生装置１０の電源をオンし（ステップＳ７０１，Ｓ７０２）、リモコン１０７でテレビを選択し（ステップＳ７０３）、テレビジョン映像を見ている状態で（ステップＳ７０４）、リモコン１０７から「テレビ映像キャプチャ実行」を指令する信号を発する。ＣＰＵ１２０は、リモコン受光部１２２を介してその指令を受信する。すると、ＣＰＵ１２０は、テレビ画像を取り込む処理を実行する（ステップＳ７０５，Ｓ７０６）。
　【００８０】具体的には、ＣＰＵ１２０は、映像信号Ａ−Ｄ変換処理部２２２に対して、ＮＴＳＣ信号処理部１３３から１フレーム分の映像信号を取り込んでディジタル画像データに変換するように指示する。映像信号Ａ−Ｄ変換処理部２２２は、その指示に応じて、１フレーム分の映像信号を取り込んで変換し、映像・音声データ保存用ＲＡＭ２２１に保存する。
　【００８１】また、ＣＰＵ１２０は、音声信号Ａ−Ｄ変換処理部２２３に対して、ある一定期間の音声信号をＮＴＳＣ信号切替部１３２から取り込んでＡ−Ｄ変換するように指示する。音声信号Ａ−Ｄ変換処理部２２３は、その指示に応じて、音声信号をＮＴＳＣ信号切替部１３２から取り込んでＡ−Ｄ変換し、映像・音声データ保存用ＲＡＭ２２１に保存する。ここで、ＣＰＵ１２０は、映像データと音声データを関連付けてもよい。すなわち、映像データを含む画像ファイルと音声データを含む音声ファイルとを同一ファイル名とし、識別子を異ならせる。このようにしておけば、映像・音声データ保存用ＲＡＭ２２１に複数のデータがある場合に、容易に映像データと音声データとを関連付けることができる。
　【００８２】次に、図１０のフローチャートを参照して映像再生処理について説明する。装置全体に電源供給される状態になると（ステップＳ８０１，Ｓ８０２）、ＣＰＵ１２０は、メニュー画面を表示する（ステップＳ８０３）。このメニュー画面では、さらに「キャプチャ映像出力」が選択可能である。リモコン１０７によって「キャプチャ映像出力」が選択されると（ステップＳ８０４，Ｓ８０５）、画像選択メニュー画面が表示される（ステップＳ８０７）。なお、「キャプチャ映像出力」以外が選択されると他の処理が行われる（ステップＳ８０６）。また、ＣＰＵ１２０は、映像スイッチ部２０６を、ＲＧＢ信号処理部２０９からのアナログＲＧＢ信号を選択するように切り替え、音声スイッチ部２０７を、ディジタル音声処理部２１１からの音声信号を選択するように切り替える。
　【００８３】画像選択メニュー画面では、ＣＰＵ１２０は、映像・音声データ保存用ＲＡＭ２２１に格納されている各ディジタル画像データをディジタルＲＧＢ信号処理部２１０に出力する。よって、既に説明した動作によって格納されていた画像がブラウン管１２９の画面に縮小表示される。ユーザがリモコン操作によって画像を選択すると（ステップＳ８０８）、ＣＰＵ１２９は、選択画像をブラウン管１２９に全画面表示する処理を行う（ステップＳ８０９）。同時に、選択画像のファイルに関連する音声ファイルの音声データをディジタル音声処理部２１１に出力する。よって、既に説明した動作によって音声ファイル中の音声がスピーカ１３０から出力される。
　【００８４】ディジタルＲＧＢ信号処理部２１０からのディジタルＲＧＢ信号からアナログＲＧＢ信号を生成するＲＧＢ信号処理部２０９の出力はＲＧＢ−ＮＴＳＣ変換部２０５にも供給されている。ＲＧＢ−ＮＴＳＣ変換部２０５からの映像信号はビデオ映像出力端子２０４に出力されるので、ビデオ映像出力端子２０４に出力されたビデオプリンタ等に映像信号を出力することもできる。すなわち、キャプチャされたテレビ映像を、ビデオプリンタ等の外部機器にも出力できる。
　【００８５】次に、図１１のフローチャートを参照して映像印刷処理について説明する。装置全体に電源供給される状態になると（ステップＳ９０１，Ｓ９０２）、ＣＰＵ１２０は、メニュー画面を表示する（ステップＳ９０３）。このメニュー画面では、「キャプチャ映像印刷」が選択可能である。リモコン１０７によって「キャプチャ映像印刷」が選択されると（ステップＳ９０４，Ｓ９０５）、画像選択メニュー画面が表示される（ステップＳ９０７）。なお、「キャプチャ映像印刷」以外が選択されると他の処理が行われる（ステップＳ９０６）。
　【００８６】画像選択メニュー画面では、ＣＰＵ１２０は、映像・音声データ保存用ＲＡＭ２２１に格納されている各ディジタル画像データをディジタルＲＧＢ信号処理部２１０に出力する。よって、格納されていた画像がブラウン管１２９の画面に縮小表示される。ユーザがリモコン操作によって画像を選択すると（ステップＳ９０８）、ＣＰＵ１２９は、選択画像のデータをプリンタ制御部２１５に転送する。よって、既に説明した処理によって、選択画像が印刷出力される（ステップＳ９０９）。
　【００８７】このように、この実施の形態によれば、キャプチャされたテレビ映像を印刷出力することもできる。なお、「キャプチャ映像印刷」のメニュー項目を設けず、「キャプチャ映像出力」に関する処理が行われているときにリモコン１０７の印刷キー押下にもとづいて画像データのプリンタ制御部２１５への転送を行ってもよい。
　【００８８】また、メニュー画面において「キャプチャ映像保存」の項目を用意しておけば、映像・音声データ保存用ＲＡＭ２２１に保存されている映像および音声をＦＤ等の外部記憶媒体に保存することもできる。すなわち、ＣＰＵ１２０は、ユーザの「キャプチャ映像保存」選択に応じて、映像・音声データ保存用ＲＡＭ２２１に保存されている映像および音声をＦＤ等の外部記憶媒体に書き込む。
　【００８９】なお、映像・音声データ保存用ＲＡＭ２２１が不揮発性メモリである場合には、「キャプチャ映像出力」、「キャプチャ映像印刷」および「キャプチャ映像保存」の処理は映像キャプチャしてから後で（電源オフしても）実行することができる。映像・音声データ保存用ＲＡＭ２２１が不揮発性でない場合には、「キャプチャ映像出力」、「キャプチャ映像印刷」および「キャプチャ映像保存」の処理を、映像キャプチャ後直ちに（電源オフ前に）行えばよい。
　【００９０】この実施の形態では、キャプチャされた映像のデータを含む画像ファイルと音声のデータを含む音声ファイルとを同一ファイル名とし識別子を異ならせることによって関連付けるようにしたが、関連付けは、他の方法によってもよい。また、音声データのファイルを画像データのファイルとは別に管理し、メニュー画面において「キャプチャ音声出力」および「キャプチャ音声保存」の項目を用意し、それぞれの指定に応じて、スピーカ出力したりＦＤ保存したりしてもよい。
　【００９１】実施の形態５．図１２は、本発明によるディジタル画像再生装置１０の第５の実施の形態を示す内部ブロック図である。図１２に示す構成は、図２に示された構成に対して、映像と音声を保存するための映像・音声データ保存用ＲＡＭ２２１、音声信号をＡ−Ｄ変換する音声信号Ａ−Ｄ変換処理部２２３および外部から入力された音声を音声信号Ａ−Ｄ変換処理部２２３に出力するアナログ音声信号入力部（音声信号入力手段）２３１が付加されている。アナログ音声信号入力部２３１は、マイクロフォンを含む。
　【００９２】次の動作について説明する。ここでは、第１の実施の形態の動作と異なる動作のみを説明する。ユーザがリモコン１０７によって「伝言音声録音」の指令を発すると、ＣＰＵ１２０は、その指令をリモコン受光部１２２を介して受信する。すると、ＣＰＵ１２０は、ディジタル画像再生装置１０を、伝言音声録音待機状態とする。その状態で「伝言音声録音実行」の指令がリモコン１０７から発せられると、ユーザがアナログ音声信号入力部２３１に入力した音声信号が音声信号Ａ−Ｄ変換処理部２２３でＡ−Ｄ変換され、映像・音声データ保存用ＲＡＭ２２１に格納される。
　【００９３】ユーザがリモコン１０７によって「伝言再生」の指令を発すると、ＣＰＵ１２０は、その指令をリモコン受光部１２２を介して受信する。すると、ＣＰＵ１２０は、映像・音声データ保存用ＲＡＭ２２１に保存されていた音声データをディジタル音声処理部２１１に転送する。また、ＣＰＵ１２０は、音声スイッチ部２０７を、ディジタル音声処理部２１１からの音声信号を選択するように切り替える。よって、映像・音声データ保存用ＲＡＭ２２１に保存されていた音声データが、ディジタル音声処理部２１１で音声信号に変換されスピーカ１３０から音声出力される。このようにして、このディジタル画像再生装置１０は、伝言装置としても使用することができる。
　【００９４】また、「伝言音声録音実行」の指令に応じて伝言用音声を録音する際に、ＰＣカードやＦＤ等の外部記憶媒体を介して入力したディジタルスチルカメラ１００の画像と、入力された音声データとを関連付けて映像・音声データ保存用ＲＡＭ２２１に保存してもよい。例えば、画像データを含む画像ファイルと音声データを含む音声ファイルとを同一ファイル名とし識別子を異ならせる。このようにした場合には、伝言音声とそれに関連する画像を同時に再生することができ、伝言を受ける人は、伝言内容をより確実に認識できる。
　【００９５】実施の形態６．図１３は、本発明の第６の実施の形態によるディジタル画像再生装置１０の動作を示すフローチャートである。第６の実施の形態によるディジタル画像再生装置１０の構成は、図１２に示された構成と同じでよい。ユーザがディジタル画像再生装置１０の電源をオンすると（ステップＳ１３１，Ｓ１３２）、ＣＰＵ１２０は、図１４（Ａ）に示すようなメニュー画面を表示する（ステップＳ１３３）。ここでは、ユーザがリモコン操作で「伝言」を選択したとする（ステップＳ１３４，Ｓ１３５）。よって、「伝言」以外の項目を選択したときには、その他の処理が実行される（ステップＳ１３６）。
　【００９６】「伝言」が選択されると、ＣＰＵ１２０は、図１４（Ｂ）に示す媒体選択メニュー画面をブラウン管１２９に表示する（ステップＳ１３７）。ユーザが所望の媒体にカーソルを合わせて決定キーを押下すると、ＣＰＵ１２０は、図１４（Ｃ）に示す処理選択メニュー画面をブラウン管１２９に表示する（ステップＳ１３８，Ｓ１３９）。なお、図１４（Ｃ）に示す処理選択メニュー画面において、サムネイル表示のウィンドウには、選択された外部記憶媒体における各画像ファイル中の画像が複数個縮小表示される。そして、ユーザは、それらのうちのいずれかを、リモコン操作によって選択できる。
　【００９７】その後、リモコン操作による選択に応じて対応する処理が実行される（ステップＳ１４０，Ｓ１４１）。処理選択メニュー画面において「音声コメント入力」が選択された場合には（ステップＳ１４１）、図１４（Ｄ）に示す画面が表示される。図１４（Ｄ）に示す画面では、前画面で選択された画像も例えば１／４サイズで表示される。リモコン操作によって「録音」が選択されると（ステップＳ１５１）、ＣＰＵ１２０は、録音可能な状態にする。すなわち、図１４（Ｅ）に示す画面が表示されるとともに、ユーザがアナログ音声信号入力部２３１に音声信号を入力すると、音声信号が音声信号Ａ−Ｄ変換処理部２２３でＡ−Ｄ変換される。そして、ＣＰＵ１２０は、ディジタル音声データを映像・音声データ保存用ＲＡＭ２２１に格納する。
　【００９８】また、リモコン操作によって「中止」が選択されると（ステップＳ１５２）、ＣＰＵ１２０は録音処理を中止する。リモコン操作によって「終了」が選択されると（ステップＳ１５３）、ＣＰＵ１２０は、録音済み音声を内容とする音声ファイルを作成する（ステップＳ１５４）。また、図１４（Ｃ）に示されたメニュー画面において選択された画像のデータを映像・音声データ保存用ＲＡＭ２２１に格納する。
　【００９９】処理選択メニュー画面において「伝言のセット」が選択された場合には（ステップＳ１４１）、ＣＰＵ１２０は、録音済み音声の音声ファイルのファイル名を、図１４（Ｃ）に示されたメニュー画面で選択された画像のファイルのファイル名と同一にし、識別子のみ異なるものとする（ステップＳ１６１）。このようにして、音声と画像を含む伝言がセットされる。そして、ディジタル画像再生装置１０に設けられている伝言ＬＥＤ（図示せず）を点灯する。伝言ＬＥＤによって、伝言を受ける人は、容易に伝言の存在を知ることができる。また、ＣＰＵ１２０は、伝言画像をブラウン管１２９に表示するとともに伝言音声をスピーカ１３０から発声させる（ステップＳ１６２：図１４（Ｆ）参照）。なお、ここでは、「伝言のセット」が選択されたときに音声ファイルと画像ファイルの関連付けを行うとしたが、「音声コメント入力」に関する処理において「終了」が選択されたときに関連付けを行ってもよい。
　【０１００】処理選択メニュー画面において「伝言のリセット」が選択された場合には（ステップＳ１４１）、ＣＰＵ１２０は、伝言の音声ファイルと画像ファイルを削除する（ステップＳ１７１）。また、処理選択メニュー画面において「伝言の確認」が選択された場合には（ステップＳ１４１）、ＣＰＵ１２０は、設定されている伝言の音声ファイル内の音声をスピーカ１３０から再生する処理を行うとともに、画像ファイル内の画像をブラウン管１２９に再生する処理を行う（ステップＳ１６２）。
　【０１０１】以上のようにして、ＰＣカードやＦＤ等の外部記憶媒体を介して入力したディジタルスチルカメラ１００の画像と、入力された音声データとが関連付けられて伝言として保存される。映像・音声データ保存用ＲＡＭ２２１が不揮発性メモリである場合には、伝言を入力したユーザは、ディジタル画像再生装置１０の伝言をオフして外出することもできる。そして、伝言ＬＥＤが、ディジタル画像再生装置１０の電源コードのプラグがコンセントに挿入されてる状態では通電されていれば、伝言を受ける人は、伝言ＬＥＤの点灯によって容易に伝言があることを認識できる。
　【０１０２】伝言を受ける人は、ディジタル画像再生装置１０の電源をオンし、図１４（Ｃ）に示されるメニュー画面において「伝言の確認」を選択すれば、伝言を画像と音声で確認することができる。また、伝言が存在するときに、ディジタル画像再生装置１０の電源がオンされると、ＣＰＵ１２０が自動的に伝言を再生するようにしてもよい。
　【０１０３】実施の形態７．図１５は、本発明によるディジタル画像再生装置１０の第７の実施の形態を示す内部ブロック図である。図１５に示す構成は、図２に示された構成に対して、映像と音声を保存するための映像・音声データ保存用ＲＡＭ２２１、音声信号をＡ−Ｄ変換する音声信号Ａ−Ｄ変換処理部２２３、外部から入力された音声を音声信号Ａ−Ｄ変換処理部２２３に出力するアナログ音声信号入力部２３１、およびＮＴＳＣ信号切替部１３２からの音声信号とアナログ音声信号入力部２３１とのうちのいずれかを音声信号Ａ−Ｄ変換処理部２２３に出力する音声切替スイッチ（入力音声切替手段）２３２が付加されている。
　【０１０４】次に、動作について説明する。第４の実施の形態の場合と同様に、ユーザが、テレビジョン映像を見ている状態で、リモコン１０７から「テレビ映像キャプチャ実行」を指令する信号を発すると、ＣＰＵ１２０は、リモコン受光部１２２を介してその指令を受信する。すると、ＣＰＵ１２０は、テレビ画像を取り込む処理を実行する。
　【０１０５】具体的には、ＣＰＵ１２０は、映像信号Ａ−Ｄ変換処理部２２２に対して、ＮＴＳＣ信号処理部１３３から１フレーム分の映像信号を取り込んでディジタル画像データに変換するように指示する。映像信号Ａ−Ｄ変換処理部２２２は、その指示に応じて、１フレーム分の映像信号を取り込んで変換し、映像・音声データ保存用ＲＡＭ２２１に保存する。
　【０１０６】また、ＣＰＵ１２０は、音声切替スイッチ２３２を、ＮＴＳＣ信号切替部１３２からの音声信号を音声信号Ａ−Ｄ変換処理部２２３に出力するように設定する。そして、音声信号Ａ−Ｄ変換処理部２２３に対して、ある一定期間の音声信号をＮＴＳＣ信号切替部１３２から取り込んでＡ−Ｄ変換するように指示する。音声信号Ａ−Ｄ変換処理部２２３は、その指示に応じて、音声信号をＮＴＳＣ信号切替部１３２から取り込んでＡ−Ｄ変換し、映像・音声データ保存用ＲＡＭ２２１に保存する。ここで、ＣＰＵ１２０は、映像データと音声データを関連付けてもよい。例えば、映像データを含む画像ファイルと音声データを含む音声ファイルとを同一ファイル名とし、識別子を異ならせる。
　【０１０７】第５の実施の形態の場合と同様に、ユーザがリモコン１０７によって「伝言音声録音」の指令を発すると、ＣＰＵ１２０は、その指令をリモコン受光部１２２を介して受信する。すると、ＣＰＵ１２０は、ディジタル画像再生装置１０を、伝言音声録音待機状態とする。その状態で「伝言音声録音実行」の指令がリモコン１０７から発せられると、音声切替スイッチ２３２を、アナログ音声信号入力部２３１からの音声信号をＡ−Ｄ変換処理部２２３に出力するように設定する。そして、ユーザがアナログ音声信号入力部２３１に入力した音声信号が音声信号Ａ−Ｄ変換処理部２２３でＡ−Ｄ変換され、映像・音声データ保存用ＲＡＭ２２１に格納される。ここで、第６の実施の形態の場合と同様に、録音された伝言用の音声を含む音声ファイルと、ＰＣカードやＦＤから取り込めるディジタルスチルカメラ１０の画像を含むファイルとを関連付けて映像・音声データ保存用ＲＡＭ２２１に格納してもよい。
　【０１０８】ユーザがリモコン１０７によって「伝言再生」の指令を発すると、ＣＰＵ１２０は、その指令をリモコン受光部１２２を介して受信する。すると、ＣＰＵ１２０は、映像・音声データ保存用ＲＡＭ２２１に保存されていた音声データをディジタル音声処理部２１１に転送する。また、ＣＰＵ１２０は、音声スイッチ部２０７を、ディジタル音声処理部２１１からの音声信号を選択するように切り替える。よって、映像・音声データ保存用ＲＡＭ２２１に保存されていた音声データが、ディジタル音声処理部２１１で音声信号に変換されスピーカ１３０から音声出力される。
　【０１０９】以上のように、この実施の形態によるディジタル画像再生装置１０は、テレビ映像をキャプチャする装置としても使用できるし、伝言装置としても使用することができる。
　【０１１０】第３の実施の形態の場合と同様に、リモコン操作で「加工・編集」が選択されると、ＣＰＵ１２０は、加工・編集メニュー画面を表示する。そして、「画像の合成」が選択されると、ＣＰＵ１２０は、外部記憶媒体またはシリアルインタフェースを介して取り込んだディジタルスチルカメラ１００の画像と、所定の保存画像（フレーム画像）とを合成する。
　【０１１１】以上のような処理によって、外部記憶媒体やシリアルインタフェースを介して入力したディジタルスチルカメラ１００の画像と、所定のフレーム画像とが合成された合成画像を得ることができる。
　【０１１２】また、テレビ映像が映像・音声データ保存用ＲＡＭ２２１に保存されるので、ＣＰＵ１２０は、録音された伝言用の音声を含む音声ファイルと画像ファイルとを関連付ける際に、テレビ映像を含む画像ファイルを使用することができる。すなわち、キャプチャ映像を伝言の画像とすることができる。
　【０１１３】さらに、キャプチャ映像を、画像の合成におけるフレーム画像とすることができる。その場合には、画像の合成におけるフレーム媒体選択メニュー画面（図７（Ｅ）参照）において「キャプチャ映像」も選択可能とされる。ユーザが、リモコン操作によって「キャプチャ映像」を選択した場合には、ＣＰＵ１２０は、映像・音声データ保存用ＲＡＭ２２１に保存されているテレビ映像と、既に選択されている合成対象の画像データとを合成する。
　【０１１４】また、ＮＴＳＣ信号切替部１３２からの音声信号が映像・音声データ保存用ＲＡＭ２２１に音声ファイルとして保存されるので、テレビジョン信号から取り込んだ音声を、ディジタルスチルカメラ１００が録音した音声と同様に取り扱うことができる。
　【０１１５】
　【発明の効果】以上のように、本発明によれば、ディジタル画像再生装置を、ディジタルスチルカメラの画像データを表示可能な画像に再生する再生手段と、再生手段が出力する画像にもとづいて可視表示を行う表示手段とを備えた構成としたので、画像データを再生する場合にパーソナルコンピュータ等を必要とせず、画像再生のための装置の設置場所確保が容易になる効果がある。また、画像表示にあたって複雑な配線が不要になるとともに複数装置の電源投入操作を行う必要がなく、かつ、再生手段と表示手段が一体化されているのでリモコン等の統一化された操作手段によって画像再生を行うことができる。また、本発明の構成によれば、再生手段をＲＯＭ化することができる。その場合、再生手段は短時間で起動されるので、装置起動から再生可能になるまでの時間が従来の再生方式に比べて短縮されている。従って、ユーザに、快適な再生環境を提供できる効果もある。
　【０１１６】再生手段が出力する画像にもとづいて印刷出力を行う印刷手段をさらに備えた場合には、印刷出力のためのプリンタやビデオプリンタを必要とせず、画像印刷のための装置の設置場所確保が容易になる効果がある。また、画像印刷にあたって複雑な配線が不要になるとともに複数装置の電源投入操作を行う必要がなく、かつ、印刷手段も一体化されているのでリモコン等の統一化された操作手段によって画像印刷を行うことができる。
　【０１１７】電源が投入されると、自動的に再生手段を起動するように構成されている場合には、画像や音声の再生にあたってユーザ操作は必要とされず、一般ユーザが容易に画像や音声の再生を行うことができる効果がある。起動手段が、媒体が接続されると、自動的に電源を投入するとともに再生手段を起動するように構成されている場合には、一般ユーザは、さらに容易に画像や音声の再生を行うことができる。また、再生手段がＲＯＭ化されていれば、装置電源を投入すれば再生手段は短時間で起動される。従って、ユーザに、さらに快適な再生環境を提供できる。
　【０１１８】ディジタル画像再生装置が、画像データもしくは音声データまたは双方のデータを保存する保存手段を備えた構成となっている場合には、ディジタルスチルカメラによる画像データおよび音声データを容易に恒常的に保存できる効果がある。また、保存データを伝言等に利用できる装置が得られる。再生手段が、保存手段によって保存された特定の画像データもしくは音声データまたは双方のデータが存在する場合に、電源が投入されると自動的にそれらの再生を行うように構成されている場合には、伝言等が保存されているときに、装置の電源を投入すれば自動的に伝言等が再生される。ディジタル画像再生装置が、再生手段が再生した画像をあらかじめ保存されている画像と合成するように構成されている場合には、ディジタルスチルカメラで撮像された画像に対して、容易に飾りをつけたり他者が写っている画像と合成したりすることができる。画像データおよび音声データを保存する際に、両者を関連付けて保存する関連付け手段を含んだ構成となっている場合には、画像を再生する際に、それに付随する音声データを容易に検索して音声再生できる効果がある。関連付けの際に、画像データを含む画像ファイルと音声データを含む音声ファイルに同一のファイル名を付すとともに識別子を異ならせるように構成されている場合には、さらに容易に画像と音声とを関連付けることができる。
　【０１１９】ディジタル画像再生装置が、テレビジョン映像もしくはテレビジョン音声または双方を取り込んで保存するキャプチャ手段を備えている場合には、テレビ信号から取り込んだ映像や音声を、伝言や画像合成の対象として使用することができる。キャプチャ手段が保存したテレビジョン映像と、入力された音声とを関連付けて保存するキャプチャ映像関連付け手段を備えている場合には、入力された音声とテレビジョン映像とを用いた伝言等を容易に作成できる。キャプチャ映像関連付け手段が保存したデータが存在するときに、保存されている画像データおよび音声データから画像および音声を再生するように構成されている場合には、テレビジョン映像を利用した伝言等を自動的に再生しうる効果がある。キャプチャ手段が保存したテレビジョン映像と、再生手段が再生した画像とを合成するキャプチャ映像合成手段が備えられている場合には、ディジタルスチルカメラで撮像された画像に対して、テレビジョン映像による飾り付加や人物合成を行える。
　【０１２０】また、本発明によれば、ディジタル画像再生装置を、カメラデータ入力手段からの画像データをＲＧＢ信号に変換する変換手段からのＲＧＢ信号とテレビジョン信号入力手段からの映像信号を切り替えて表示手段に出力する画像切替手段と、カメラデータ入力手段からの音声データを音声信号に変換する音声変換手段からの音声信号とテレビジョン信号入力手段からの音声信号を切り替えて音声出力手段に出力する音声切替手段とを備えた構成としたので、テレビジョン映像および音声を再生できるとともに、ディジタルスチルカメラによる画像データや音声データを容易に再生できる装置が得られる。また、画像表示あたって複雑な配線が不要になるとともに複数装置の電源投入操作を行う必要がなく、かつ、リモコン等の統一化された操作手段によって画像再生を行うことができる。ディジタル画像再生装置が、入力された画像データにもとづいて印刷を行う印刷手段をさらに備えている場合には、印刷出力のためのプリンタやビデオプリンタを必要とせず、画像印刷のための装置の設置場所確保が容易になる効果がある。また、画像印刷あたって複雑な配線が不要になるとともに複数装置の電源投入操作を行う必要がなく、かつ、印刷部も一体化されているのでリモコン等の統一化された操作手段によって画像印刷を行うことができる。
　【０１２１】テレビジョン信号入力手段からの映像信号をディジタル画像データに変換する映像信号Ａ−Ｄ変換手段と、テレビジョン信号入力手段からの音声信号をディジタル音声データに変換する音声信号Ａ−Ｄ変換手段と、ディジタル画像データもしくはディジタル音声データまたは双方のデータを保存するメモリ手段とをさらに含むように構成されている場合には、テレビジョン映像やテレビジョン音声を画像合成などに応用できる効果がある。外部から入力される音声を取り込む音声信号入力手段と、音声信号入力手段からの音声信号をディジタル音声データに変換する音声信号Ａ−Ｄ変換手段と、カメラデータ入力手段からの画像データと音声信号Ａ−Ｄ変換手段からの音声データとを保存するメモリ手段とを含むように構成されている場合には、音声信号入力手段からの音声をディジタルスチルカメラによる画像と関連付けて伝言等に応用できる効果がある。外部から入力される音声を取り込む音声信号入力手段と、テレビジョン信号入力手段からの音声信号と音声信号入力手段からの音声信号を切り替えて音声信号Ａ−Ｄ変換手段に出力する入力音声切替手段とをさらに含むように構成されている場合には、音声信号入力手段からの音声をディジタルスチルカメラによる画像と関連付けて伝言等に応用できるとともに、テレビジョン映像やテレビジョン音声を画像合成や伝言などに応用できる効果がある。
　【０１２２】また、本発明によれば、画像再生方法を、画像の再生、画像の加工、伝言設定および伝言確認をユーザが選択しうる階層構成のメニュー画面を表示し、ユーザ選択に応じて処理を実行するようにした、ディジタルスチルカメラによる画像再生、画像の加工・編集、伝言の設定および伝言の確認を、易しいユーザインタフェースによって実現できる効果がある。
　【０１２３】また、本発明によれば、記録媒体を、ユーザ選択に応じて、画像の再生処理、画像の加工処理、伝言設定処理または伝言確認処理を開始する画像再生プログラムを格納する構成としたので、ディジタルスチルカメラによる画像再生、画像の加工・編集、伝言の設定および伝言の確認を、易しいユーザインタフェースによって実現できる環境を提供することができる。画像再生プログラムが、さらに、ユーザ指定に応じて再生画像を印刷出力する処理を行うように構成されている場合には、易しいユーザインタフェースによって印刷処理も実現できる。
【図面の簡単な説明】
　【図１】　本発明によるディジタル画像再生装置の一例を、付属するリモコンおよびディジタルスチルカメラとともに示す説明図である。
　【図２】　ディジタル画像再生装置の第１の実施の形態を示す内部ブロック図である。
　【図３】　第１の実施の形態の動作を示すフローチャートである。
　【図４】　第２の実施の形態の動作を示すフローチャートである。
　【図５】　第２の実施の形態におけるメニュー画面を示す説明図である。
　【図６】　第３の実施の形態の動作を示すフローチャートである。
　【図７】　第３の実施の形態におけるメニュー画面を示す説明図である。
　【図８】　本発明によるディジタル画像再生装置の第４の実施の形態を示す内部ブロック図である。
　【図９】　第４の実施の形態の動作を示すフローチャートである。
　【図１０】　第４の実施の形態における映像再生処理を示すフローチャートである。
　【図１１】　第４の実施の形態における映像印刷処理を示すフローチャートである。
　【図１２】　本発明によるディジタル画像再生装置の第５の実施の形態を示す内部ブロック図である。
　【図１３】　第６の実施の形態の動作を示すフローチャートである。
　【図１４】　第６の実施の形態におけるメニュー画面を示す説明図である。
　【図１５】　本発明によるディジタル画像再生装置の第７の実施の形態を示す内部ブロック図である。
　【図１６】　ディジタルスチルカメラの画像や音声をパーソナルコンピュータを用いて再生する場合の構成を示す構成図である。
　【図１７】　従来のディジタルスチルカメラの画像および音声を再生し、画像を印刷出力する動作を示すフローチャートである。
　【図１８】　ディジタルスチルカメラの画像や音声をビデオ信号再生装置を用いて再生する場合の構成を示す構成図である。
　【図１９】　テレビの内部構成を示すブロック図である。
　【符号の説明】
１０　　ディジタル画像再生装置
１００　ディジタルスチルカメラ
１０１　電源スイッチ
１０２　リモコン受光窓
１０３　ＰＣカード部
１０４　プリンタ出力口
１０５　シリアルデータ端子
１０６　ＦＤＤ部
１０８　カメラ本体
１０９　ビデオ出力端子
１１０　音声出力端子
１１１　シリアルデータ端子
１１２　ＰＣカード部
１２２　リモコン受光部
１２４　電源部
１２５　アンテナ入力端子
１２６　チューナ部
１２７　ビデオ入力端子
１２８　音声入力端子
１２９　ブラウン管
１３０　スピーカ
１３１　音声信号出力部
１３２　ＮＴＳＣ信号切替部
１３３　ＮＴＳＣ信号処理部
１３４　スイッチ
２０３　音声信号出力端子
２０４　ビデオ映像出力端子
２０５　ＲＧＢ−ＮＴＳＣ変換部
２０６　映像スイッチ部
２０７　音声スイッチ部
２０９　ＲＧＢ信号処理部
２１０　ディジタルＲＧＢ信号処理部
２１１　ディジタル音声処理部
２１４　シリアルインタフェース部
２１５　プリンタ制御部
２１６　印刷部
２１７　バスライン
２２１　映像・音声データ保存用ＲＡＭ
２２２　映像信号Ａ−Ｄ変換処理部
２２３　音声信号Ａ−Ｄ変換処理部
２３１　アナログ音声信号入力部
２３２　音声切替スイッチ
４００　パーソナルコンピュータ
５０１　テレビ